(57)【要約】【課題】スクリーン装置において、枠体における係止用溝に厚さが相当に異なる各種のスクリーンであっても固定することができるスクリーンの押さえ材を提供する。【解決手段】押さえ材１０が、一対の対向板１３を断面Ｕ字形の先端湾曲部１４で連結した弾性変形可能な合成樹脂からなる脚部１２と、該脚部と一体の覆板部１５とを有する。スクリーンを８介して先端湾曲部１４を係止用溝２の内向き突縁３間に押入可能な脚部１２は、係止用溝への押入完了時にスクリーンを上記内向き突縁との間に挟持するための拡開方向への弾性を有する。対向板１３の外面には、上記係止用溝２への押入完了時に内向き突縁３の内端に係止する係止突部１６を備える。【選択図】図１
2010031545.tif 000002
【特許請求の範囲】
【請求項１】
スクリーン装置の枠体におけるスクリーン張設面に沿う内周に設けられた、一対の対向する内向き突縁により口部を狭窄化してなる係止用溝に、スクリーンとともに押入し、該スクリーンを上記係止用溝に固定するためのスクリーンの押さえ材であって、
上記押さえ材が、一対の対向板を断面Ｕ字形の先端湾曲部で連結した弾性変形可能な合成樹脂からなる脚部と、該脚部と一体でその一対の対向板の基端部から外向きに突出する一対の覆板部とを有し、
上記脚部は、その先端湾曲部がスクリーンを介して上記係止用溝の内向き突縁間に押入可能なものであって、係止用溝への押入完了時にはスクリーンを上記係止用溝の内向き突縁との間に挟持するための拡開方向への弾性を有し、且つ、上記対向板の外面に、上記係止用溝への押入完了時に該係止用溝の内向き突縁の内端に係止する係止突部を備えている、
ことを特徴とするスクリーンの押さえ材。
【請求項２】
スクリーン装置の枠体におけるスクリーン張設面に沿う内周に設けられた、一対の対向する内向き突縁により口部を狭窄化してなる係止用溝に、スクリーンとともに押入し、該スクリーンを上記係止用溝に固定するためのスクリーンの押さえ材であって、
上記押さえ材が、一対の対向板を断面Ｕ字形の先端湾曲部で連結した弾性変形可能な合成樹脂からなる脚部と、該脚部と一体でその一対の対向板の基端部から外向きに突出する一対の覆板部とを有する押さえ部材、及び上記対向板間に押入するための押入脚板を有する固定部材によって構成され、
上記脚部は、その先端湾曲部がスクリーンを介して上記係止用溝の内向き突縁間に押入可能なものであって、係止用溝への押入完了時にはスクリーンを上記係止用溝の内向き突縁側に押圧する弾性を有し、且つ、上記対向板の外面に、上記係止用溝への押入完了時に該係止用溝の内向き突縁の内端に係止する係止突部を備え、
上記固定部材が、係止用溝の内向き突縁間に押入された押さえ部材の一対の対向板間に押し込むことにより、スクリーンを該対向板と上記係止用溝の内向き突縁との間に挟持するに必要な厚さを有している、
ことを特徴とするスクリーンの押さえ材。
【請求項３】
上記脚部における対向板の内側面と上記固定部材の外側面とに、上記脚部の対向板間への固定部材の押し込み完了時に相互に係合する係合凹部と係合突子を設けた、
ことを特徴とする請求項２に記載のスクリーンの押さえ材。
【請求項４】
上記係止突部が、脚部の係止用溝への押入時に該係止用溝の内向き突縁の内端に圧接する傾斜滑面と、該係止用溝への押入完了時に上記内向き突縁に係止する係止縁とを有している、
ことを特徴とする請求項１または２に記載のスクリーンの押さえ材。
【発明の詳細な説明】
【技術分野】
【０００１】
本発明は、遮光、断熱、防虫、目隠し、装飾、その他の各種目的のために利用されるスクリーン装置の枠体の係止用溝にスクリーンと共に押入し、該スクリーンを枠体に対して固定するためのスクリーンの押さえ材に関するものである。
【背景技術】
【０００２】
スクリーン装置の枠体における一対の対向する内向き突縁により口部を狭窄化した係止用溝にスクリーンとともに押入する押さえ材として、例えば、紐状の中空ゴムビードや、合成樹脂で成形した各種断面形状のものが知られているが、それらは、スクリーン装置の枠体の係止用溝に対して所期のほぼ一定の厚さのスクリーンを固定することを前提として構成されたものである。しかしながら、近年は各種用途に各種厚さのスクリーンが提供されるようになり、そのため、各種の厚さのスクリーンをスクリーン枠に対して固定する必要があり、その場合に、上述したような既知の押さえ材を適用すると、スクリーンが薄い場合には押さえ材による固定が緩くなってスクリーンが係止用溝から外れることになり、また、スクリーンが厚い場合には、該スクリーンを押さえ材とともに係止用溝に押入することが困難になる。つまり、一つの押さえ材で固定可能なスクリーンの厚さの幅は極めて小さいものである。
【発明の開示】
【発明が解決しようとする課題】
【０００３】
本発明の技術的課題は、スクリーン装置において、枠体における係止用溝に厚さが相当に異なる各種のスクリーンであっても固定することができるスクリーンの押さえ材を提供することにあり、換言すれば、一つの押さえ材で固定可能なスクリーンの厚さの幅を拡大することにある。
【課題を解決するための手段】
【０００４】
上記課題を解決するため、本発明によれば、スクリーン装置の枠体におけるスクリーン張設面に沿う内周に設けられた、一対の対向する内向き突縁により口部を狭窄化してなる係止用溝に、スクリーンとともに押入し、該スクリーンを上記係止用溝に固定するためのスクリーンの押さえ材であって、上記押さえ材が、一対の対向板を断面Ｕ字形の先端湾曲部で連結した弾性変形可能な合成樹脂からなる脚部と、該脚部と一体でその一対の対向板の基端部から外向きに突出する一対の覆板部とを有し、上記脚部は、その先端湾曲部がスクリーンを介して上記係止用溝の内向き突縁間に押入可能なものであって、係止用溝への押入完了時にはスクリーンを上記係止用溝の内向き突縁との間に挟持するための拡開方向への弾性を有し、且つ、上記対向板の外面に、上記係止用溝への押入完了時に該係止用溝の内向き突縁の内端に係止する係止突部を備えていることを特徴とするスクリーンの押さえ材が提供される。
【０００５】
また、上記課題を解決するため、本発明によれば、スクリーン装置の枠体におけるスクリーン張設面に沿う内周に設けられた、一対の対向する内向き突縁により口部を狭窄化してなる係止用溝に、スクリーンとともに押入し、該スクリーンを上記係止用溝に固定するためのスクリーンの押さえ材であって、上記押さえ材が、一対の対向板を断面Ｕ字形の先端湾曲部で連結した弾性変形可能な合成樹脂からなる脚部と、該脚部と一体でその一対の対向板の基端部から外向きに突出する一対の覆板部とを有する押さえ部材、及び上記対向板間に押入するための押入脚板を有する固定部材によって構成され、上記脚部は、その先端湾曲部がスクリーンを介して上記係止用溝の内向き突縁間に押入可能なものであって、係止用溝への押入完了時にはスクリーンを上記係止用溝の内向き突縁側に押圧する弾性を有し、且つ、上記対向板の外面に、上記係止用溝への押入完了時に該係止用溝の内向き突縁の内端に係止する係止突部を備え、上記固定部材が、係止用溝の内向き突縁間に押入された押さえ部材の一対の対向板間に押し込むことにより、スクリーンを該対向板と上記係止用溝の内向き突縁との間に挟持するに必要な厚さを有していることを特徴とするスクリーンの押さえ材が提供される。
【０００６】
上述した本発明に係るスクリーンの押さえ材においては、上記脚部における対向板の内側面と上記固定部材の外側面とに、上記脚部の対向板間への固定部材の押し込み完了時に相互に係合する係合凹部と係合突子を設けることができる。
また、上記係止突部が、脚部の係止用溝への押入時に該係止用溝の内向き突縁の内端に圧接する傾斜滑面と、該係止用溝への押入完了時に上記内向き突縁に係止する係止縁とを有するものとすることができる。
【発明の効果】
【０００７】
以上に詳述した本発明のスクリーンの押さえ材によれば、スクリーン装置において、枠体における係止用溝に厚さが相当に異なる各種のスクリーンであっても固定することができるスクリーンの押さえ材を提供することができ、換言すれば、一つの押さえ材で固定可能なスクリーンの厚さの幅を従来の押さえ材に比して大きく拡大することができる。
【発明を実施するための最良の形態】
【０００８】
図１及び図２は、本発明に係るスクリーンの押さえ材１０を、スクリーン装置の枠体１に対するスクリーン８の固定に適用した第１実施例を示している。このスクリーン装置の枠体１は、窓枠などの建物開口部に摺動自在に、あるいは、固定的に配設されるものである。
上記スクリーン装置の枠体１は、方形の四辺を構成するアルミニウム製又は合成樹脂製の枠材によって形成されたもので、該枠体１におけるスクリーン張設面に沿う内周に設けられた係止用溝２上に、張設するスクリーン８の固定すべき部分を載置した状態で、上記押さえ材１０とともにスクリーン８を係止用溝２内に押入して固定するようにしたものである。上記係止用溝２は、一対の対向する内向き突縁３により口部を狭窄化することにより形成している。
【０００９】
上記押さえ材１０は、弾性ある合成樹脂の押出し成形により形成され、図１及び図２に明確に示すように、一対の対向板１３を断面Ｕ字形の先端湾曲部１４で連結した弾性変形可能な合成樹脂からなる脚部１２と、該脚部１２と一体でその一対の対向板１３の基端部から外向きに突出する一対の覆板部１５とを有するものである。上記脚部１２は、その先端湾曲部１４がスクリーン８を介して上記係止用溝２の内向き突縁３間に押入可能なものであって、係止用溝２への押入完了時にはスクリーン８を上記係止用溝２の内向き突縁３との間に挟持するための拡開方向への弾性を有している。また、上記一対の対向板１３の外側面には、上記係止用溝２への押入完了時に該係止用溝２の内向き突縁３の内端に係止する係止突部１６を備えている。
【００１０】
上記係止突部１６は、スクリーン８と共に押さえ部材１１の脚部１２を係止用溝２へ押入するときに、該係止用溝２の内向き突縁３の内端に圧接する傾斜滑面１６ａと、該係止用溝２への押入完了時に上記内向き突縁３に係止する係止縁１６ｂとを有している。上記傾斜滑面１６ａは、対向板１３に先端湾曲部１４側から基端部側に向かって隆起する斜面として形成した物であり、その先端に段差があって、この段差が上記係止縁１６ｂに相当するものである。
【００１１】
上記脚部１２の一対の対向板１３の外側幅Ａ（図２参照）は、上記係止用溝２の一対の内向き突縁３の対向する間隔に、張設しようとする最大厚さのスクリーン８を介して上記脚部１２を押入できる幅であることが必要であるが、この押入を行う場合には、上記脚部１２の外側幅Ａが該脚部１２の弾性変形によって短くなるので、その変形した幅で、上記一対の内向き突縁３の対向する間隔に押入できる厚さのスクリーン８までを、固定の対象にすることができる。
【００１２】
また、係止用溝２に対しスクリーン８を介して脚部１２を押入した状態における該脚部１２の基部の内側幅は、スクリーン８の厚さにも関連するが、押入前の脚部１２の基部の内側幅Ｂ（図２参照）よりも狭く、その変形量に応じた反発力で係止用溝２の対向する内向き突縁３との間にスクリーン８を挟持することになる。この場合に、一対の対向板１３の基部は、先端湾曲部１４から離れているので、内側に大きく弾性変形可能であり、そのため、厚さの薄いスクリーン８から厚さが相当に大きいものまで挟持させることが可能であり、厚さが異なる各種スクリーンの固定に適用することができる。
【００１３】
上述した押さえ材１０を用いて、上記枠体１に対してスクリーン８を張設するに際しては、先ず、枠体１上にスクリーン８を載置し、次いで押さえ材１０を一つの係止用溝２上のスクリーン８上に置き、上記スクリーン８を押さえ材１０で係止用溝２に対して押圧、押入すればよい。これにより、押さえ材１０の先端湾曲部１４が、スクリーン８を介して係止用溝２の内向き突縁３の内側を通過し、そして、対向板１３の外側面の係止突部１６の傾斜滑面１６ａがスクリーン８を介して上記一対の内向き突縁３に当接し、押さえ材１０に加わる押圧力により押さえ材１０の脚部１２の対向板１３が内側に弾性変形しながら押入される。上記係止突部１６の傾斜滑面１６ａの全体が係止用溝２の内側を通過すると、脚部１２が内側に弾性変形した形で係止用溝２に嵌入した状態になり、上記係止縁１６ｂが係止用溝２の内向き突縁３の内側にスクリーン８を介して係止され、押さえ材１０の抜け出しが防止される。そして、この状態で脚部１２がスクリーン８を安定的に固定するための拡開方向への弾性を持つように形成されている。
【００１４】
図３及び図４は、本発明に係るスクリーンの押さえ材の第２実施例を示している。この第２実施例のスクリーンの押さえ材２０は、上記第１実施例の押さえ材１０とほぼ同じ形態の押さえ部材２１と、それに付加的に設けた固定部材２８とにより構成される。
上記押さえ部材２１によりスクリーン８を張設するスクリーン装置の枠体１は、前記第１実施例の場合と同じであるため、第１実施例と同一の符号を付して、その説明は省略する。
【００１５】
上記押さえ部材２１は、第１実施例の押さえ材１０と同様に、一対の対向板２３を断面Ｕ字形の先端湾曲部２４で連結した弾性変形可能な合成樹脂からなる脚部２２と、該脚部２２と一体でその一対の対向板２３の基端部から外向きに突出する一対の覆板部２５とを有し、また、上記対向板２３の外面に、係止用溝２への押入完了時に該係止用溝２の内向き突縁３の内端に係止する係止突部２６を備えているが、この押さえ部材２１の脚部２２は、必ずしも、第１実施例の押さえ材１０のように、それをスクリーン８とともに枠体１の係止用溝２に押入したときに、スクリーン８を係止用溝２の内向き突縁３との間に挟持するに必要な拡開方向への弾性を有する必要はなく、スクリーン８を係止用溝２の内向き突縁３側に押圧することにより、固定部材２８によるスクリーンの固定を容易にする程度の弾性を有していればよい。しかし、上記スクリーン８を挟持するに必要な弾性を有していても、それが何ら支障を来す原因になるものではない。そのため、この押さえ部材２１として第１実施例の押さえ材１０と同じものを用いることもできる。
【００１６】
この第２実施例の押さえ部材２０においては、第１実施例の押さえ材１０の脚部１２に付与しているところの、スクリーン８を係止用溝２の内向き突縁３との間に挟持するための弾性に代えて、上記対向板２３間に、天板２８ａ及び押入脚板２８ｂによって断面Ｔ形に形成した固定部材２８の該押入脚板２８ｂを押入するように構成している。
更に具体的に説明すると、上記脚部２２は、少なくとも、係止用溝２への押入完了時にスクリーン８を係止用溝２の内向き突縁３側に押圧する弾性を有しているため、張設しようとするスクリーン８の厚さに多少の変動があっても、その弾性によりスクリーン８を介して先端湾曲部２４を係止用溝２の内向き突縁３間に押入可能なものであり、そして、上記押さえ部材２０の脚部２２をスクリーンを介して係止用溝２に押入した図３の状態で、上記固定部材２８の押入脚板２８ｂを、該係止用溝２に押入された押さえ部材２１の一対の対向板２３間に押し込むことにより、図４に示すように、押さえ部材２０を係止用溝２内に安定的に保持させ、スクリーン８を確実に固定することができる。
【００１７】
上記固定部材２８は、それを係止用溝２に押入された押さえ部材２１の一対の対向板２３間に押入脚板２８ｂを押し込むことにより、スクリーン８を該対向板２３と係止用溝２の内向き突縁３との間に挟持させるものであるため、スクリーン８の厚さに応じて、適切な厚さを有するものとする必要がある。張設しようとするスクリーン８の厚さに大きな変動がある場合には、その厚さに応じた押入脚板２８ｂを有する複数の固定部材２８を選択的に用いることになる。
【００１８】
また、上記押さえ部材２１における脚部２２の対向板２３の内側面には係合凹部２９を設け、上記固定部材２８の外側面に、上記脚部の対向板２３間への固定部材２８の押し込み完了時に上記係合凹部２９に係合する係合突子３０を設けている。押さえ部材２１の対向板２３間に上記固定部材２８を押入したとき、上記係合凹部２９と係合突子３０とを係合させておくことにより、固定部材２８を上記対向板２３間に安定的に保持させることができる。
なお、上記係合凹部２９を固定部材２８の外面に設け、上記係合突子３０を対向板２３の内面に設けることもできる。
【００１９】
上記固定部材２８は、その押入脚板２８ｂを対向板２３間に押入して、固定部材２８の外面に設けた上記係合突子３０を対向板２３の内面に設けた係合凹部２９に係合させたとき、天板２８ａが押さえ部材２１の覆板部２５の外表面に密接するように形成したものである。
また、上記対向板２３の外面には、係止用溝２の内向き突縁３の内端に係止する係止突部２６を設けているが、その構成及び作用は、第１実施例の場合と全く変わるところがないので説明を省略する。
【図面の簡単な説明】
【００２０】
【図１】本発明の第１実施例に係るスクリーンの押さえ材を用いて、スクリーン装置の枠体の係止用溝にスクリーンとともに挿着した状態を示す断面図である。
【図２】同実施例における押さえ材の未挿着状態を示す断面図である。
【図３】本発明の第２実施例に係るスクリーンの押さえ材を用いて、スクリーン装置の枠体の係止用溝にスクリーンとともに挿着した状態を示す断面図である。
【図４】同実施例に係る押さえ部材を用いてスクリーンとともに係止用溝に挿着する過程を説明するための断面図である。
【符号の説明】
【００２１】
１      枠体
２      係止用溝
３      内向き突縁
８      スクリーン
１０，２０    押さえ材
１２，２２    脚部
１３，２３    対向板
１４，２４    先端湾曲部
１５，２５    覆板部
１６，２６    係止突部
１６ａ    傾斜滑面
１６ｂ    係止縁
２８      固定部材
２８ｂ    押入脚板
２９      係合凹部
３０      係合突子
【図１】
2010031545.tif 000003
【図２】
2010031545.tif 000004
【図３】
2010031545.tif 000005
【図４】
2010031545.tif 000006